【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
入力される交流電圧を整流及び平滑した電圧が供給される第一のトランスを有し、前記第一のトランスをスイッチングすることにより第一の直流電圧を出力する第一のスイッチング電源と、前記第一のスイッチング電源のスイッチング動作を制御する第一の制御手段と、前記交流電圧を整流及び平滑した電圧が入力される第二のトランスを有し、前記第二のトランスをスイッチングすることにより第二の直流電圧を出力する第二のスイッチング電源と、前記第二のスイッチング電源のスイッチング動作を制御する第二の制御手段と、を有する電源装置において、
前記第一のトランスの一次巻線と、前記一次巻線と巻方向が同一の補助巻線と、
前記補助巻線に接続され、前記第一の制御手段及び前記第二の制御手段を駆動するための電源電圧を生成する電圧生成手段と、を有し、
前記電圧生成手段は、前記第一の制御手段に供給する電源電圧よりも前記第二の制御手段に供給する電源電圧が小さくなるように電源電圧を生成し、
前記交流電圧が停止した際に、前記電圧生成手段が生成する電圧に従って、前記第一の制御手段よりも前記第二の制御手段が先に停止するように制御することを特徴とする電源装置。
【請求項２】
前記交流電圧を整流する整流手段と、
前記第一のトランスと接続され、前記整流手段で整流された電圧を蓄電し、且つ、平滑する第一の蓄電手段と、
前記第二のトランスと接続され、前記整流手段で整流された電圧を蓄電し、且つ、平滑する第二の蓄電手段と、を有し、
前記第一の蓄電手段と前記第二の蓄電手段との間に、前記第一の蓄電手段の電気エネルギーが前記第二の蓄電手段へ逆流することを防止する逆流防止手段が接続されることを特徴とする請求項１に記載の電源装置。
【請求項３】
前記第一の制御手段の停止電圧は前記第二の制御手段の停止電圧よりも低く設定されており、前記交流電圧が停止した際に、前記電圧生成手段が生成する電圧に従って、前記第一の制御手段よりも前記第二の制御手段が先に停止することを特徴とする請求項１に記載の電源装置。
【請求項４】
前記補助巻線として第一の補助巻線と前記第一の補助巻線よりも巻き数が少ない第二の補助巻線を有し、
前記第一の補助巻線と前記第一の制御手段が接続され、前記第二の補助巻線と前記第二の制御手段が接続されることを特徴とする請求項１に記載の電源装置。
【請求項５】
記録材に画像を形成する画像形成装置において、
画像形成手段と、
前記画像形成装置に電力を供給する電源装置とを有し、
前記電源装置は、
入力される交流電圧を整流及び平滑した電圧が供給される第一のトランスを有し、前記第一のトランスをスイッチングすることにより第一の直流電圧を出力する第一のスイッチング電源と、前記第一のスイッチング電源のスイッチング動作を制御する第一の制御手段と、前記交流電圧を整流及び平滑した電圧が入力される第二のトランスを有し、前記第二のトランスをスイッチングすることにより第二の直流電圧を出力する第二のスイッチング電源と、前記第二のスイッチング電源のスイッチング動作を制御する第二の制御手段と、前記第一のトランスの一次巻線と、前記一次巻線と巻方向が同一の補助巻線と、
前記補助巻線に接続され、前記第一の制御手段及び前記第二の制御手段を駆動するための電源電圧を生成する電圧生成手段と、を有し、
前記電圧生成手段は、前記第一の制御手段に供給する電源電圧よりも前記第二の制御手段に供給する電源電圧が小さくなるように電源電圧を生成し、
前記交流電圧が停止した際に、前記電圧生成手段が生成する電圧に従って、前記第一の制御手段よりも前記第二の制御手段が先に停止するように制御する
ことを特徴とする画像形成装置。
【請求項６】
前記交流電圧を整流する整流手段と、
前記第一のトランスと接続され、前記整流手段で整流された電圧を蓄電し、且つ、平滑する第一の蓄電手段と、
前記第二のトランスと接続され、前記整流手段で整流された電圧を蓄電し、且つ、平滑する第二の蓄電手段と、を有し、
前記第一の蓄電手段と前記第二の蓄電手段との間に、前記第一の蓄電手段の電気エネルギーが前記第二の蓄電手段へ逆流することを防止する逆流防止手段が接続されることを特徴とする請求項５に記載の画像形成装置。
【請求項７】
前記第一の制御手段の停止電圧は前記第二の制御手段の停止電圧よりも低く設定されており、前記交流電圧が停止した際に、前記電圧生成手段が生成する電圧に従って、前記第一の制御手段よりも前記第二の制御手段が先に停止することを特徴とする請求項５に記載の画像形成装置。
【請求項８】
前記補助巻線として第一の補助巻線と前記第一の補助巻線よりも巻き数が少ない第二の補助巻線を有し、
前記第一の補助巻線と前記第一の制御手段が接続され、前記第二の補助巻線と前記第二の制御手段が接続されることを特徴とする請求項５に記載の画像形成装置。
【請求項９】
前記画像形成手段の動作を制御するコントローラを有し、
前記電源装置の前記第一のスイッチング電源は前記コントローラに電力を供給することを特徴とする請求項５乃至８のいずれか１項に記載の画像形成装置。
【請求項１０】
前記画像形成手段を駆動する駆動手段を有し、
前記電源装置の前記第二のスイッチング電源は前記駆動手段に電力を供給することを特徴とする請求項５乃至８のいずれか１項に記載の画像形成装置。
【手続補正２】
【補正対象書類名】明細書
【補正対象項目名】００１４
【補正方法】変更
【補正の内容】
【００１４】
上記課題を解決するための本発明の電源装置は、入力される交流電圧を整流及び平滑した電圧が供給される第一のトランスを有し、前記第一のトランスをスイッチングすることにより第一の直流電圧を出力する第一のスイッチング電源と、前記第一のスイッチング電源のスイッチング動作を制御する第一の制御手段と、前記交流電圧を整流及び平滑した電圧が入力される第二のトランスを有し、前記第二のトランスをスイッチングすることにより第二の直流電圧を出力する第二のスイッチング電源と、前記第二のスイッチング電源のスイッチング動作を制御する第二の制御手段と、を有する電源装置において、前記第一のトランスの一次巻線と、前記一次巻線と巻方向が同一の補助巻線と、前記補助巻線に接続され、前記第一の制御手段及び前記第二の制御手段を駆動するための電源電圧を生成する電圧生成手段と、を有し、前記電圧生成手段は、前記第一の制御手段に供給する電源電圧よりも前記第二の制御手段に供給する電源電圧が小さくなるように電源電圧を生成し、前記交流電圧が停止した際に、前記電圧生成手段が生成する電圧に従って、前記第一の制御手段よりも前記第二の制御手段が先に停止するように制御することを特徴とする。
【手続補正３】
【補正対象書類名】明細書
【補正対象項目名】００１５
【補正方法】変更
【補正の内容】
【００１５】
また、本発明の画像形成装置は、記録材に画像を形成する画像形成装置において、画像形成手段と、前記画像形成装置に電力を供給する電源装置とを有し、前記電源装置は、入力される交流電圧を整流及び平滑した電圧が供給される第一のトランスを有し、前記第一のトランスをスイッチングすることにより第一の直流電圧を出力する第一のスイッチング電源と、前記第一のスイッチング電源のスイッチング動作を制御する第一の制御手段と、前記交流電圧を整流及び平滑した電圧が入力される第二のトランスを有し、前記第二のトランスをスイッチングすることにより第二の直流電圧を出力する第二のスイッチング電源と、前記第二のスイッチング電源のスイッチング動作を制御する第二の制御手段と、前記第一のトランスの一次巻線と、前記一次巻線と巻方向が同一の補助巻線と、前記補助巻線に接続され、前記第一の制御手段及び前記第二の制御手段を駆動するための電源電圧を生成する電圧生成手段と、を有し、前記電圧生成手段は、前記第一の制御手段に供給する電源電圧よりも前記第二の制御手段に供給する電源電圧が小さくなるように電源電圧を生成し、前記交流電圧が停止した際に、前記電圧生成手段が生成する電圧に従って、前記第一の制御手段よりも前記第二の制御手段が先に停止するように制御することを特徴とする。